(57)【要約】【課題】撮影モードが選択可能で、交換レンズを装着できるようにしたカメラシステムにおいて、選択された撮影モードに応じた適切な光量調節の行えるカメラシステム、交換レンズおよびカメラ本体を提供する。【解決手段】カメラ本体１に交換レンズ２を、着脱可能としたカメラシステムであって、該交換レンズに設けらた光量調節手段５，６の光量調節能力に関する情報をカメラ本体に送信する送信手段と、該カメラ本体に設けられた測光手段１４および光量調節命令手段とを有し、該光量調節命令手段において、該撮影モード選択手段により選択された撮影モードに応じ、該測光手段の出力および前記交換レンズからの光量調節能力に関する情報に基づいて光量調節命令を決定し、該決定された光量調節命令を前記交換レンズに送信可能とした構成とする。【選択図】            図１
2006106509.tif 000002
【特許請求の範囲】
【請求項１】
透過光量を調整する光量調節手段を備えた交換レンズと、該交換レンズを着脱可能なカメラ本体とを有するカメラシステムであって、
前記光量調節手段の光量調節能力に関する情報をカメラ本体に送信する送信手段を有することを特徴とするカメラシステム。
【請求項２】
前記カメラ本体が複数の撮影モードが選択可能な撮影モード選択手段を備えており、
前記カメラ本体に設けられた被写体の輝度を検出する測光手段と、
前記撮影モード選択手段により選択された撮影モードに応じ、前記測光手段の出力および前記交換レンズからの光量調節能力に関する情報に基づいて、光量調節命令を決定し、該決定された光量調節命令を前記光量調節手段に送信する光量調節命令手段を有することを特徴とするカメラシステム。
【請求項３】
前記光量調節手段は、機械的に開口面積を変更することで透過光量を制御することが可能な第１の光量調節手段と、光透過状態を調節可能な物性素子を用いて透過光量を制御することが可能な第２の光量調節手段を備えていることを特徴とする請求項２に記載のカメラシステム。
【請求項４】
前記第１の光量調節手段および前記第２の光量調節手段は、前記カメラ本体からの前記光量調節命令に基づいて制御されることを特徴とする請求項３に記載のカメラシステム。
【請求項５】
前記光量調節能力に関する情報をカメラ本体に送信する送信手段は、前記第１の光量調節手段における制御可能な最大および最小開口面積と、前記第２の光量調節手段における透過光量の可変範囲に関するデータとを、前記カメラ本体に送信することを特徴とする請求項１または請求項３に記載のカメラシステム。
【請求項６】
前記光量調節能力に関する情報をカメラ本体に送信する送信手段は、前記第２の光量調節手段における透過光量の可変領域に関するデータを含む情報を、前記カメラ本体に送信することを特徴とする請求項１または請求項３に記載のカメラシステム。
【請求項７】
前記光量調節能力に関する情報をカメラ本体に送信する送信手段は、前記第１および前記第２の光量調節手段のうち、少なくとも一方における透過光量の最小可変幅に関するデータを含む情報を、前記カメラ本体に送信することを特徴とする請求項２または請求項３に記載のカメラシステム。
【請求項８】
透過光量を調整する光量調節手段を備え、カメラ本体に着脱可能な交換レンズであって、
前記光量調節手段の光量調節能力に関する情報をカメラ本体に送信する送信手段を有することを特徴とする交換レンズ。
【請求項９】
透過光量を調整する光量調節手段を備えた交換レンズに対して着脱可能なカメラ本体であって、
前記光量調節手段の光量調節能力に関する情報を前記交換レンズから受信し、受信した情報に基づいて前記光量調節手段に光量調節命令を送信する光量調節命令手段を有することを特徴とするカメラ本体。
【発明の詳細な説明】
【技術分野】
【０００１】
本発明は、交換レンズ方式の銀塩カメラ、ビデオカメラ、デジタルカメラ等におけるカメラシステム、交換レンズおよびカメラ本体に関するものであり、特に交換レンズの装着可能なカメラシステムにおける光量調節に関するものである。
【背景技術】
【０００２】
従来のビデオカメラ、デジタルカメラ等におけるカメラにおいて、選択された撮影モードに応じて光量を調節し、撮影者の撮影意図を反映した撮影ができるようにしたカメラが知られている。
このようなカメラとして、例えば特許文献１では、エレクトロクロミック素子（以下ＥＣ素子）に代表される光透過特性を調節することが可能な物性素子を用いた光量調節機構を、開口面積を機械的に変更可能な光量調節機構と組み合わせて使用したビデオカメラの例が提案されている。ここには、選択された撮影モードに応じて、機械的な光量調節機構の動作モードと物性素子による光量調節機構の制御モードの組み合わせを決定する例が記載されている。
【特許文献１】特開平１０−２４６９０３号公報
【発明の開示】
【発明が解決しようとする課題】
【０００３】
しかしながら、上記特許文献１のような従来例では、選択された撮影モードに応じて、あらかじめ設定された情報に基づいてのみ機械的な光量調節機構および物性素子による光量調節機構を制御する構成であるため、多様な組み合わせで使用されることが前提となる交換レンズ方式のカメラシステムに適用した場合に、つきのような問題があった。
例えば、異なる光量調節能力を備えた２本の交換レンズを、それぞれ仕様の異なる２台のカメラ本体に装着して使用できるシステムを考えた場合、それぞれのカメラ本体が被写体の輝度を検出する測光手段の出力に基づいて決定する光量調節命令は、２本の交換レンズのどちらにおいても制御可能な命令である必要がある。そのためには、２台のカメラ本体で予め設定されている情報は、共に光量調節能力の低い交換レンズに合わせたものでなくてはならず、結果的に、高い光量調節能力を備えた交換レンズの性能を生かした適切な光量調節を行なうことができないシステムとなってしまうこととなる。
【０００４】
また、このようなシステムに、あらかじめ高い光量調節能力を備えた交換レンズに合わせた情報が設定されている（高い光量調節能力を備えた交換レンズの性能を生かすことができる）第３のカメラ本体を加えた場合、第３のカメラ本体と光量調節能力の低い交換レンズとの組み合わせにおいて、カメラ本体が交換レンズの能力を超えた光量調節を命令してしまい、選択された撮影モードに応じた適切な光量調節制御を行なうことができないため、システム全体の互換性を保つことができなくなってしまうこととなる。
【０００５】
本発明は、上記課題に鑑み、撮影モードが選択可能で、交換レンズを装着できるようにしたカメラシステムにおいて、選択された撮影モードに応じた適切な光量調節の行えるカメラシステム、交換レンズおよびカメラ本体を提供することを目的とするものである。
【課題を解決するための手段】
【０００６】
上記課題を解決するために、本発明のカメラシステムは、透過光量を調整する光量調節手段を備えた交換レンズと、該交換レンズを着脱可能なカメラ本体とを有するカメラシステムであって、前記光量調節手段の光量調節能力に関する情報をカメラ本体に送信する送信手段を有することを特徴としている。
また、本発明の別側面のカメラシステムは、複数の撮影モードが選択可能な撮影モード選択手段を備えたカメラ本体に、透過光量を制御することが可能な光量調節手段を備えた交換レンズを、着脱可能としたカメラシステムであって、
前記交換レンズに設けられた前記光量調節手段の光量調節能力に関する情報をカメラ本体に送信する送信手段と、前記カメラ本体に設けられた被写体の輝度を検出する測光手段および光量調節命令手段と、を有し、
前記光量調節命令手段において、前記撮影モード選択手段により選択された撮影モードに応じ、前記測光手段の出力および前記交換レンズからの光量調節能力に関する情報に基づいて光量調節命令を決定し、該決定された光量調節命令を前記交換レンズに送信可能としたことを特徴としている。
また、本発明の交換レンズは、透過光量を調整する光量調節手段を備え、カメラ本体に着脱可能な交換レンズであって、前記光量調節手段の光量調節能力に関する情報をカメラ本体に送信する送信手段を有することを特徴としている。
また、本発明のカメラ本体は、透過光量を調整する光量調節手段を備えた交換レンズに対して着脱可能なカメラ本体であって、前記光量調節手段の光量調節能力に関する情報を前記交換レンズから受信し、受信した情報に基づいて前記光量調節手段に光量調節命令を送信する光量調節命令手段を有することを特徴としている。
【発明の効果】
【０００７】
本発明によれば、撮影モードが選択可能で、交換レンズを装着できるようにしたカメラシステムにおいて、交換レンズの光量調節能力に応じた適切な光量調節の行えるカメラシステム、交換レンズおよびカメラ本体を実現することができる。
【発明を実施するための最良の形態】
【０００８】
まず、本実施例のカメラシステム、交換レンズ、カメラ本体について簡単に述べる。本実施例のカメラシステムは、透過光量を調整する光量調節手段を備えた交換レンズと、該交換レンズを着脱可能なカメラ本体とを有するカメラシステムであって、前記光量調節手段の光量調節能力に関する情報をカメラ本体に送信する送信手段を有することを特徴としている。また、本実施例の交換レンズは、透過光量を調整する光量調節手段を備え、カメラ本体に着脱可能な交換レンズであって、前記光量調節手段の光量調節能力に関する情報をカメラ本体に送信する送信手段を有することを特徴としている。また、本実施例のカメラ本体は、透過光量を調整する光量調節手段を備えた交換レンズに対して着脱可能なカメラ本体であって、前記光量調節手段の光量調節能力に関する情報を前記交換レンズから受信し、受信した情報に基づいて前記光量調節手段に光量調節命令を送信する光量調節命令手段を有することを特徴としている。
【０００９】
このようにカメラシステム、交換レンズ、カメラ本体を構成することにより、光量調節が可能な交換レンズを有するカメラシステムにおいて（例えば撮影モードが選択可能なカメラシステムにおいて）、交換レンズの光量調節能力に応じた（撮影モードに応じた）適切な光量調節の行えるカメラシステム、交換レンズ、カメラ本体を実現することができる。
【００１０】
また、本実施例のカメラシステムは、複数の撮影モードが選択可能な撮影モード選択手段を備えたカメラ本体に、透過光量を制御することが可能な光量調節手段を備えた交換レンズを、着脱可能としたカメラシステムであって、前記交換レンズに設けられた前記光量調節手段の光量調節能力に関する情報をカメラ本体に送信する送信手段と、前記カメラ本体に設けられた被写体の輝度を検出する測光手段および光量調節命令手段と、を有し、前記光量調節命令手段において、前記撮影モード選択手段により選択された撮影モードに応じ、前記測光手段の出力および前記交換レンズからの光量調節能力に関する情報に基づいて光量調節命令を決定し、該決定された光量調節命令を前記交換レンズに送信可能としたことを特徴としている。
【００１１】
このような構成により、上記した課題を達成することができるが、本発明の実施の形態においては、具体的には、例えば複数の撮影モード動作が選択的に使用可能なカメラ本体と、カメラ本体に着脱可能な交換レンズとから成るカメラシステムにおいて、交換レンズ側に、機械的に開口面積を変更することで透過光量を制御することが可能な第１の光量調節手段と、光透過状態を調節可能な物性素子を用いて透過光量を制御することが可能な第２の光量調節手段と、第１および第２の光量調節手段の光量調節能力に関する情報をカメラ本体に送信する送信手段とを備え、カメラ本体側に、被写体の輝度を検出する測光手段と、選択された撮影モードに応じて測光手段の出力および交換レンズから送信された第１および第２の光量調節手段の光量調節能力に関する情報とに基づく光量調節命令を交換レンズに送信する命令手段を備えた構成とすることで、カメラ本体が交換レンズ毎の光量調節能力に応じた光量調節命令を決定することができ、システム全般にわたって性能を充分に発揮したうえで、選択された撮影モードに応じた適切な光量調節制御を行なうことが可能となるカメラシステムを提供することができる。
その際、前記光量調節能力に関する情報をカメラ本体に送信する送信手段において、前記第１の光量調節手段における制御可能な最大および最小開口面積と、前記第２の光量調節手段における透過光量の可変範囲に関するデータとを、前記カメラ本体側に送信する構成を採ることができる。
また、前記光量調節能力に関する情報をカメラ本体に送信する送信手段において、前記第２の光量調節手段における透過光量の可変領域に関するデータを含む情報を、前記カメラ本体側に送信する構成を採ることができる。
また、前記光量調節能力に関する情報をカメラ本体に送信する送信手段において、前記第１および前記第２の光量調節手段のうち、少なくとも一方における透過光量の最小可変幅に関するデータを含む情報を、前記カメラ本体側に送信する構成を採ることができる。
【実施例】
【００１２】
つぎに、本発明の実施例を図を用いて説明する。
本実施例は、上記した本発明を適用してデジタルカメラシステムを構成したものである。
図１に本実施例におけるデジタルカメラシステムのブロック図を示す。
図１において、１はカメラ本体、２はレンズ本体である。
まず、本実施例におけるレンズ本体２の構成について説明する。
３は撮影光学系としての撮影レンズ、１６は撮影光束に対する開口面積を機械的に変更することが可能な機械絞り、１７はレンズマイコン７から機械絞り１６に駆動電力を与えるための第３ドライバ回路である。
４は光透過率を調節することが可能な物性素子としてのＥＣ素子であって、ＥＣ素子４には機械絞り１６で制御可能な最大の開口面積を通過する光束の内側領域に第１ＥＣ領域５、外側領域に第２ＥＣ領域６が設けられている。
本カメラシステムでは、機械絞り１６の開口面積および第１ＥＣ領域５の光透過率の組み合わせ状態によって、被写体から撮影レンズ３を通って後述の撮像素子１４に到達する透過光量を適正に調節することが可能となっている。
【００１３】
７はレンズ本体２に関する全ての制御を司るレンズマイコン、８はレンズマイコン７との通信によってレンズに関する各種履歴及びデータを記憶させるための電気的消去可能記憶素子ＥＥＰＲＯＭである。
９はレンズマイコン７から第１ＥＣ領域５に駆動電力を与えるための第１ドライバ回路、１０はレンズマイコン７から第２のＥＣ領域６に駆動電力を与えるための第２ドライバ回路で、１１は第２ドライバ回路１０からの電力供給によって駆動された第２ＥＣ領域６の光透過率を検出するためのフォトインタラプタである。１２はレンズマイコン７がカメラ本体１との通信を行なうための接点を有するレンズ接点ユニットである。
【００１４】
つぎに、本実施例におけるカメラ本体１の構成について説明する。
図１において、１３はカメラ本体１に関する全ての制御を司るカメラマイコン、１４はカメラマイコン１３からの命令によって撮影記録用、合焦状態検出用、被写体輝度検出（測光）用に撮影レンズ３、機械絞り１６および第１のＥＣ領域５を通過した撮影光束の状態を検出するための撮像素子である。勿論、合焦状態検出用の撮像素子や、被写体輝度検出用の撮像素子は、撮影記録用の撮像素子とは別体で設けても良いし、同じ撮像素子内の別の領域を使って合焦状態検出や被写体輝度検出を行っても良い。
１５はカメラマイコン１３がレンズ本体２と通信を行なうための接点を有するカメラ接点ユニットであり、カメラ本体１にレンズ本体２を装着した場合、レンズ接点ユニット１２とカメラ接点ユニット１５とが電気的に接触する構成となっている。なお、不図示ではあるが、カメラ本体１には、撮影者が後述の複数の撮影モードから使用するモードを選択して入力することが可能な撮影モード選択装置が設けられている。
【００１５】
つぎに、本実施例におけるデジタルカメラシステムの制御動作について説明する。図２乃至６は、本実施例におけるデジタルカメラシステムの制御動作を説明するためのフローチャートである。
まず、図２に示すステップ１０１において、カメラ本体１は外部より撮像素子１４に到達する被写体からの入射光量を適正に調節することを命令されるとステップ１０２に進む。
ステップ１０２おいてカメラマイコン１３はレンズマイコン７に機械絞り１６および第１ＥＣ領域５の光量調節能力に関する情報の送信を要求し、つぎのステップ１０３に進む。
ステップ１０３において、レンズマイコン７はＥＥＰＲＯＭ８に記憶されている機械絞り１６の制御可能な最大および最小の開口面積、ＥＣ素子４における光透過率制御が可能な領域および制御可能な光透過率の範囲、機械絞り１６および第１ＥＣ領域５における透過光量の最小可変幅のデータをカメラマイコン１３に送信し、つぎのステップ１０４に進む。
ステップ１０４において、カメラマイコン１３は現在の撮影光束の輝度情報を撮像素子１４から読み出し、撮影動作における適正露出となる光量を制御目標として算出し、つぎのステップ１０５に進む。
ステップ１０５において、カメラマイコン１３は「シャッター速度・絞り・被写界深度優先モード」「スポーツ・ポートレートモード」「自動段階露出モード」「動画撮影モード」等から現在使用者が選択設定している撮影モードを判別し、つぎのステップ１０６に進む。
【００１６】
ステップ１０６において、カメラマイコン１３は現在使用者が選択設定している撮影モードが、例えばシャッター速度優先モードやスポーツモード（動きの速い被写体のぶれを止めて撮影することが可能なモード）のように、シャッター速度のコントロールによって効果を得ることができるモードであるかどうかを判断し、そのようなモードであればステップ１０８へ進み、そのようなモードでなければステップ１０７へ進む。
ステップ１０７において、カメラマイコン１３は現在使用者が選択設定している撮影モードが、例えば絞り優先モードや被写界深度優先モード（風景全体や人物のみといったようにピントの合う範囲を指定して撮影することが可能なモード）、あるいはポートレートモード（背景をぼかして人物を撮影することが可能なモード）のように、機械絞りによる開口面積のコントロールによって効果を得ることができるモードであるかどうかを判断し、そのようなモードであればステップ１１４へ進み、そのようなモードなければステップ１２０へ進む。
つぎに上記ステップ１０６においてステップ１０８へ進んだ場合について説明する。
図３に、図２のステップ１０６からステップ１０８へ進んだ場合を説明するためのフローチャートを示す。
ステップ１０８へ進む例としては、使用者が選択設定している撮影モードが、自動段階露出モード（カメラが自動的に露出を変えながら複数回像撮影することが可能なモード）や動画撮影モードのように、複数回の撮影にわたって、被写体ぶれに影響するシャッター速度や被写界深度に影響する機械絞りの開口面積を変化させたくないモードである場合が考えられる。
図３に示すステップ１０８において、カメラマイコン１３は使用者が選択設定している撮影モードに応じて、撮影動作におけるシャッター速度の制御目標を、搭載しているシャッター機構で制御可能な最大および最小のシャッター速度の範囲および露出時間の最小可変幅のデータに基づき決定し、つぎのステップ１０９に進む。
【００１７】
ステップ１０９において、カメラマイコン１３はステップ１０８で決定した目標シャッター速度と組み合わせることでステップ１０４において決定した適正光量となる、機械絞り１６の開口面積およびＥＣ素子４の第１ＥＣ領域５の光透過率の制御目標を、ステップ１０３においてレンズマイコン７から送信されたＥＣ素子４における光透過率制御が可能な領域、機械絞り１６および第１ＥＣ領域５における透過光量の最小可変幅のデータに基づき決定し、つぎのステップ１１０に進む。
ステップ１１０において、カメラマイコン１３はステップ１０９で決定した機械絞り１６の目標開口面積が、ステップ１０３でレンズマイコン７から送信された機械絞り１６における制御可能な最大および最小の開口面積の範囲内かどうかを判定し、範囲内であればステップ１１２へ進み、範囲外であればステップ１１１へ進む。
【００１８】
ステップ１１１へ進んだ場合においては、ステップ１１１でカメラマイコン１３はステップ１１０での判定結果に基づいて、適正光量となる機械絞り１６の目標開口面積および第１ＥＣ領域５の目標光透過率の組み合わせを変更してステップ１１０へ戻る。
一方、ステップ１１２へ進んだ場合においては、ステップ１１２でカメラマイコン１３はステップ１０９あるいはステップ１１１で決定した第１ＥＣ領域５の目標光透過率が、ステップ１０３でレンズマイコン７から送信された第１ＥＣ領域５における制御可能な光透過率の範囲内かどうかを判定し、範囲内であればステップ１２６へ進み、範囲外であればステップ１１３へ進む。
ステップ１１３において、カメラマイコン１３はステップ１１２での判定結果に基づいて、撮影モードに応じてステップ１０８で決定した目標シャッター速度を変更してステップ１０９へ戻る。
【００１９】
つぎに上記ステップ１０７においてステップ１１４へ進んだ場合について説明する。
図４に、図２のステップ１０７からステップ１１４へ進んだ場合を説明するためのフローチャートを示す。
ステップ１１４において、カメラマイコン１３は使用者が選択設定している撮影モードに応じて、撮影動作における機械絞り１６の開口面積の制御目標を、ステップ１０３においてレンズマイコン７から送信された機械絞り１６における制御可能な最大および最小の開口面積の範囲および透過光量の最小可変幅のデータに基づき決定し、つぎのステップ１１５に進む。
ステップ１１５において、カメラマイコン１３はステップ１１４で決定した機械絞り１６の目標開口面積と組み合わせることでステップ１０４において決定した適正光量となる、シャッター速度およびＥＣ素子４の第１ＥＣ領域５の光透過率の制御目標を、搭載しているシャッター機構で制御可能な露出時間の最小可変幅のデータ、ステップ１０３においてレンズマイコン７から送信されたＥＣ素子４における光透過率制御が可能な領域および第１ＥＣ領域５における透過光量の最小可変幅のデータに基づき決定し、つぎのステップ１１６へ進む。
【００２０】
ステップ１１６において、カメラマイコン１３はステップ１１５で決定した目標シャッター速度が、搭載しているシャッター機構で制御可能な最大および最小のシャッター速度の範囲内かどうかを判定し、範囲内であればステップ１１８へ進み、範囲外であればステップ１１７へ進む。
ステップ１１７へ進んだ場合においては、ステップ１１７でカメラマイコン１３はステップ１１６での判定結果に基づいて、適正光量となるシャッター速度および第１ＥＣ領域５の目標光透過率の組み合わせを変更してステップ１１６へ戻る。
一方ステップ１１８へ進んだ場合においては、ステップ１１８でカメラマイコン１３はステップ１１５あるいはステップ１１７で決定した第１ＥＣ領域５の目標光透過率が、ステップ１０３でレンズマイコン７から送信された第１ＥＣ領域５における制御可能な光透過率の範囲内かどうかを判定し、範囲内であればステップ１２６へ進み、範囲外であればステップ１１９へ進む。ステップ１１９において、カメラマイコン１３はステップ１１８での判定結果に基づいて、撮影モードに応じてステップ１１４で決定した機械絞り１６の目標開口面積を変更してステップ１１５へ戻る。
【００２１】
つぎに上記ステップ１０７においてステップ１２０へ進んだ場合について説明する。
図５に、図２のステップ１０７からステップ１２０へ進んだ場合を説明するためのフローチャートを示す。
ステップ１２０において、カメラマイコン１３は使用者が選択設定している撮影モードに応じて、撮影動作におけるＥＣ素子４の第１ＥＣ領域５の光透過率の制御目標を、ステップ１０３においてレンズマイコン７から送信された第１ＥＣ領域５における光透過率の制御が可能な領域、最大および最小の光透過率の範囲および透過光量の最小可変幅のデータに基づき決定し、つぎのステップ１２１に進む。
ステップ１２１において、カメラマイコン１３はステップ１２０で決定した第１ＥＣ領域５の目標光透過率と組み合わせることでステップ１０４において決定した適正光量となる、機械絞り１６の開口面積およびシャッター速度の制御目標を、ステップ１０３においてレンズマイコン７から送信された機械絞り１６における透過光量の最小可変幅のデータおよび搭載しているシャッター機構で制御可能な露出時間の最小可変幅のデータに基づき決定し、つぎのステップ１２２に進む。
【００２２】
ステップ１２２において、カメラマイコン１３はステップ１２０で決定した機械絞り１６の目標開口面積が、ステップ１０３でレンズマイコン７から送信された機械絞り１６における制御可能な最大および最小の開口面積の範囲内かどうかを判定し、範囲内であればステップ１２４へ進み、範囲外であればステップ１２３へ進む。
ステップ１２３へ進んだ場合においては、ステップ１２３でカメラマイコン１３はステップ１２２での判定結果に基づいて、適正光量となる機械絞り１６の目標開口面積および目標シャッター速度の組み合わせを変更してステップ１２２へ戻る。
一方、ステップ１２４へ進んだ場合においては、ステップ１２４でカメラマイコン１３はステップ１２１あるいはステップ１２３で決定した目標シャッター速度が、搭載しているシャッター機構で制御可能な最大および最小のシャッター速度の範囲内かどうかを判定し、範囲内であればステップ１２６へ進み、範囲外であればステップ１２５へ進む。ステップ１２５において、カメラマイコン１３はステップ１２４での判定結果に基づいて、撮影モードに応じてステップ１２０で決定した第１ＥＣ領域５の目標光透過率を変更してステップ１２１へ戻る。
【００２３】
つぎに上記したステップ１１２、ステップ１１８、ステップ１２４のそれぞれのステップから、ステップ１２６へ進んだ場合について説明する。
図６に、図３のステップ１１２，図４ステップ１１８，図５のステップ１２４からステップ１２６へ進んだ場合を説明するためのフローチャートを示す。
ステップ１２６において、カメラマイコン１３はレンズマイコン７にステップ１０９、１１１、１１４、１２１、１２３のいずれかで決定された機械絞り１６の制御目標開口面積を送信し、レンズマイコン７が受信し、つぎのステップ１２７に進む。
【００２４】
ステップ１２７において、カメラマイコン１３はレンズマイコン７にステップ１０９，１１１，１１５，１１７，１２０のいずれかで決定された第１ＥＣ領域５の目標光透過率を送信し、レンズマイコン７が受信し、つぎのステップ１２８に進む。
ステップ１２８において、レンズマイコン７はＥＥＰＲＯＭ８に記憶されている第１ＥＣ領域５および第２ＥＣ領域６の駆動特性（例えば、駆動電圧―光透過率特性、駆動電圧印加時間―光透過率特性）を読み出し、これらの特性に従って第１ドライバ回路９および第２ドライバ回路１０を介して第１ＥＣ領域５および第２ＥＣ領域６に駆動電力を供給し、第２ＥＣ領域６の光透過率を検出するフォトインタラプタ１１の出力から推定できる第１ＥＣ領域５の光透過率を、ステップ１２７で送信された目標光透過率まで駆動し、つぎのステップ１２９に進む。
ステップ１２９において、レンズマイコン７は第３ドライバ回路１７を介して機械絞り１６に駆動電力を供給し、機械絞り１６の開口面積をステップ１２６で送信された目標開口面積まで駆動し、つぎのステップ１３０に進む。
ステップ１３０において、レンズマイコン７は機械絞り１６の開口面積および第１ＥＣ領域５の光透過率の設定終了をカメラマイコン１３に送信して動作を終了させる。
【００２５】
以上の本実施例のカメラシステムによれば、カメラ本体に着脱可能な交換レンズ側からカメラ本体側に、機械絞り１６および第１ＥＣ領域５のそれぞれの光量調節能力に関する情報を送信することで、選択された撮影モードに応じてカメラ本体側で決定される光量調節命令を交換レンズ毎の光量調節能力に合わせた命令とすることが可能となり、システム全般にわたって性能を充分に発揮したうえで、選択された撮影モードに応じた適切な光量調節制御を行なうことが可能となる。
また、光量調節能力に関する情報を、少なくとも機械絞り１６における制御可能な最大および最小の開口面積と、第１ＥＣ領域５における制御可能な光透過率の範囲に関する情報とすることで、カメラ本体側で決定される機械絞り１６の開口面積の変更で透過光量を制御する範囲と第１ＥＣ領域５の光透過率の変更で透過光量を制御する範囲を、交換レンズ毎に最適な範囲として決定することが可能となり、システム全般にわたって性能を充分に発揮したうえで、選択された撮影モードに応じた適切な光量調節制御を行なうことが可能となる。
さらに、光量調節能力に関する情報を、機械絞り１６および第１ＥＣ領域５における透過光量の最小可変幅に関するデータを含む情報とすることで、カメラ本体側で決定される機械絞り１６の開口面積および第１ＥＣ領域５の光透過率の制御目標を、交換レンズ毎に選択された撮影モードに応じた適切な精度で決定することが可能となり、システム全般にわたって性能を充分に発揮したうえで、適切な光量調節制御を行なうことが可能となる。
上記実施例においては、主にカメラシステム（ビデオカメラ等も含む）について述べて来たが、前述したように、本実施例はカメラシステムに限ったものではなく、交換レンズやカメラ本体にも勿論適用可能であるし、さらに、カメラに限らないデジタルの（ＣＣＤやＣ−ＭＯＳ等を用いた）画像記録装置に適用することは可能である。
【図面の簡単な説明】
【００２６】
【図１】本発明の実施例におけるデジタルカメラシステムのブロック図。
【図２】本発明の実施例におけるデジタルカメラシステムの制御動作を説明するためのフローチャート。
【図３】本発明の実施例における図２のステップ１０６からステップ１０８へ進んだ場合を説明するためのデジタルカメラシステムのフローチャート。
【図４】本発明の実施例における図２のステップ１０７からステップ１１４へ進んだ場合を説明するためのデジタルカメラシステムのフローチャート。
【図５】本発明の実施例における図２のステップ１０７からステップ１２０へ進んだ場合を説明するためのデジタルカメラシステムのフローチャート。
【図６】本発明の実施例における図３のステップ１１２，図４ステップ１１８，図５のステップ１２４からステップ１２６へ進んだ場合を説明するためのデジタルカメラシステムのフローチャート。
【符号の説明】
【００２７】
１：カメラ本体
２：レンズ本体
３：撮影レンズ
４：ＥＣ素子
５：第１のＥＣ領域
６：第２のＥＣ領域
７：レンズマイコン
８：ＥＥＰＲＯＭ
９：第１ドライバ回路
１０：第２ドライバ回路
１１：フォトインタラプタ
１２：レンズ接点ユニット
１３：カメラマイコン
１４：撮像素子
１５：カメラ接点ユニット
１６：機械絞り
１７：第３ドライバ回路
【図１】
2006106509.tif 000003
【図２】
2006106509.tif 000004
【図３】
2006106509.tif 000005
【図４】
2006106509.tif 000006
【図５】
2006106509.tif 000007
【図６】
2006106509.tif 000008